(57)【要約】【課題】周囲環境の汚染を防止しつつ、便潜血検査の効率を上げることが可能な採便容器を提供する。【解決手段】採便容器の容器本体は、収容部とフィルタ部と液溜め部とを有する。収容部には、採便棒で採取された便が懸濁される保存溶液が収容される。フィルタ部には、便が懸濁された保存溶液である懸濁液をろ過するフィルタが配されている。液溜め部は、容器本体の外壁によって取り囲まれた空間内に設けられる。液溜め部には、フィルタを通ってろ過された懸濁液が溜められる。液溜め部は、フィルタ部との連通口を取り囲み、かつ、容器本体の外壁の全周にわたって間隔を空けられた内壁で形成されている。【選択図】図３
2020193898.tif 000002
【特許請求の範囲】
【請求項１】
便を採取する採便棒と、
前記採便棒が取り付けられる容器本体とを備え、
前記容器本体は、
前記採便棒で採取された便が懸濁される保存溶液が収容される収容部と、
便が懸濁された前記保存溶液である懸濁液をろ過するフィルタが配されたフィルタ部と、
前記容器本体の外壁によって取り囲まれた空間内に設けられ、前記フィルタを通ってろ過された前記懸濁液が溜められる液溜め部であり、前記フィルタ部との連通口を取り囲み、かつ、前記外壁の全周のうちの少なくとも一部との間に間隔を空けられた内壁で形成された液溜め部と、
を有する採便容器。
【請求項２】
前記内壁は、前記外壁の全周にわたって前記間隔を空けられている請求項１に記載の採便容器。
【請求項３】
前記内壁は、前記外壁よりも高さが低い請求項１または請求項２に記載の採便容器。
【請求項４】
前記容器本体は、前記懸濁液を採液する採液具を前記液溜め部に導入するための第１開口を有し、
前記液溜め部は、前記採液具を受け入れるための第２開口を有し、
前記第１開口および前記第２開口のうちのいずれかはシールで塞がれ、
前記シールには、前記採液具が挿脱される十字穴が形成されている請求項１から請求項３のいずれか１項に記載の採便容器。
【請求項５】
前記液溜め部は、前記フィルタ部とは反対側に向かって幅広となっている請求項１から請求項４のいずれか１項に記載の採便容器。
【請求項６】
前記液溜め部には親水処理が施されている請求項１から請求項５のいずれか１項に記載の採便容器。
【発明の詳細な説明】
【技術分野】
【０００１】
本開示の技術は、採便容器に関する。
【背景技術】
【０００２】
大腸癌を発見するための便潜血検査に用いられる採便容器が知られている。特許文献１には、便を採取する採便棒と、採便棒が取り付けられる容器本体とを備える採便容器が記載されている。容器本体は、収容部と、フィルタ部と、液溜め部とを有している。収容部には、採便棒で採取された便が懸濁される保存溶液が収容されている。フィルタ部にはフィルタが配されている。フィルタは、便が懸濁された保存溶液（以下、懸濁液）中の、便潜血検査の妨げとなる不純物をろ過する。液溜め部は、フィルタ部を介して収容部と繋がっている。液溜め部には、フィルタにより不純物がろ過された懸濁液が溜められる。液溜め部は、容器本体の外壁によって取り囲まれた空間で形成されている。
【０００３】
特許文献１に記載の採便容器においては、便潜血検査の際に収容部が圧縮される。こうして収容部が圧縮されることで、収容部内の懸濁液がフィルタ部を通されて液溜め部に移動される。液溜め部には徐々に懸濁液が溜められていく。液溜め部に溜められた懸濁液は、その液面高さが予め設定された高さとなった場合に、ノズル等の採液具で採液されて便潜血検査に供される。
【先行技術文献】
【特許文献】
【０００４】
【特許文献１】特許第６３２２６３４号
【発明の概要】
【発明が解決しようとする課題】
【０００５】
便潜血検査の効率を上げるため、液溜め部の懸濁液を、より短時間で採液に必要な液面高さとすることが求められている。一方で、周囲環境の汚染を防止するため、採便容器から懸濁液を漏出しにくくする仕組みも求められている。
【０００６】
本開示の技術は、周囲環境の汚染を防止しつつ、便潜血検査の効率を上げることが可能な採便容器を提供することを目的とする。
【課題を解決するための手段】
【０００７】
上記目的を達成するために、本開示の採便容器は、便を採取する採便棒と、採便棒が取り付けられる容器本体とを備え、容器本体は、採便棒で採取された便が懸濁される保存溶液が収容される収容部と、便が懸濁された保存溶液である懸濁液をろ過するフィルタが配されたフィルタ部と、容器本体の外壁によって取り囲まれた空間内に設けられ、フィルタを通ってろ過された懸濁液が溜められる液溜め部であり、フィルタ部との連通口を取り囲み、かつ、外壁の全周のうちの少なくとも一部との間に間隔を空けられた内壁で形成された液溜め部と、を有する。
【０００８】
内壁は、外壁の全周にわたって間隔を空けられていることが好ましい。
【０００９】
内壁は、外壁よりも高さが低いことが好ましい。
【００１０】
容器本体は、懸濁液を採液する採液具を液溜め部に導入するための第１開口を有し、液溜め部は、採液具を受け入れるための第２開口を有し、第１開口および第２開口のうちのいずれかはシールで塞がれ、シールには、採液具が挿脱される十字穴が形成されていることが好ましい。
【００１１】
液溜め部は、フィルタ部とは反対側に向かって幅広となっていることが好ましい。
【００１２】
液溜め部には親水処理が施されていることが好ましい。
【発明の効果】
【００１３】
本開示の技術によれば、周囲環境の汚染を防止しつつ、便潜血検査の効率を上げることが可能な採便容器を提供することができる。
【図面の簡単な説明】
【００１４】
【図１】採便容器を示す斜視図である。
【図２】採便容器の分解斜視図である。
【図３】液溜め部周辺を示す図であり、図３Ａは断面図、図３Ｂは容器本体の高さ方向から平面視した図をそれぞれ示す。
【図４】採便棒で便を採取している様子を示す図である。
【図５】捕捉部に便が捕捉された採便棒を容器本体に戻す様子を示す図である。
【図６】検査装置内における採便容器の扱いを示す図であり、図６Ａは、穿刺針でシールを破断している様子、図６Ｂは、収容部の懸濁液をフィルタでろ過して液溜め部に移している様子、図６Ｃは、液溜め部の懸濁液をノズルで採液している様子をそれぞれ示す。
【図７】液溜め部における懸濁液の液面高さの変化を示す図であり、図７Ａは、本開示の技術に係る液溜め部の場合、図７Ｂは、内壁がなく、容器本体の外壁によって取り囲まれた空間で形成された液溜め部の場合をそれぞれ示す。
【図８】液溜め部から溢れ出た懸濁液が空間に溜まった状態を示す図である。
【図９】液溜め部のバリエーションを示す図であり、図９Ａは、容器本体の面積の大きいほうの対向する２つの側面を繋ぐよう、容器本体の奥行方向に沿って延びる一対の内壁で形成された液溜め部、図９Ｂは、容器本体の面積の小さいほうの対向する２つの側面を繋ぐよう、容器本体の幅方向に沿って延びる一対の内壁で形成された液溜め部、図９Ｃは、容器本体の面積の大きいほうの対向する２つの側面のうちの一方から容器本体の奥行方向に沿って延び、容器本体の面積の大きいほうの対向する２つの側面のうちの他方の手前で直角に折れ曲がった内壁で形成された液溜め部をそれぞれ示す。
【図１０】外壁と同じ高さの内壁で形成された液溜め部を示す図である。
【図１１】液溜め部の開口を、十字穴が形成されたシールで塞いだ第２実施形態を示す図であり、図１１Ａは断面図、図１１Ｂは容器本体の高さ方向から平面視した図をそれぞれ示す。
【図１２】十字穴の部分の拡大図であり、図１２Ａは十字穴が閉塞されている状態、図１２Ｂは十字穴がノズルで押し広げられた状態をそれぞれ示す。
【図１３】容器本体の開口を、十字穴が形成されたシールで塞いだ第２実施形態の変形例を示す図であり、図１３Ａは断面図、図１３Ｂは容器本体の高さ方向から平面視した図をそれぞれ示す。
【図１４】容器本体の開口を、十字穴が形成されたシールのみで塞いだ第２実施形態の変形例を示す図であり、図１４Ａは断面図、図１４Ｂは容器本体の高さ方向から平面視した図をそれぞれ示す。
【図１５】フィルタ部とは反対側に向かって幅広な第３実施形態の液溜め部を示す図であり、図１５Ａは断面図、図１５Ｂは容器本体の高さ方向から平面視した図をそれぞれ示す。
【図１６】親水処理が施された第４実施形態の液溜め部を示す図である。
【図１７】採便容器の別の例を示す図である。
【発明を実施するための形態】
【００１５】
［第１実施形態］
図１および図２において、採便容器２は、全体が細長で偏平なスティック状をしており、大腸癌を発見するための便潜血検査に用いられる。採便容器２は、便Ｓ（図４等参照）を採取する採便棒１０と、採便棒１０が着脱可能に取り付けられる容器本体１１とを備える。
【００１６】
採便棒１０は、色付きの樹脂で形成される。採便棒１０は、キャップ１５、棒本体１６、および捕捉部１７で構成される。キャップ１５は略直方体形状をしており、採便時に被検者により把持される（図４等参照）。棒本体１６は、キャップ１５から下方に延びる細長円筒形状をしている。捕捉部１７は、棒本体１６の先端に形成されている。捕捉部１７には、手際よく便Ｓを捕捉するための溝が複数形成されている。
【００１７】
容器本体１１は、外側から内部を視認できるよう、透明な樹脂で形成される。透明な樹脂は、例えば、ＡＢＳ(Ａｃｒｙｌｏｎｉｔｒｉｌｅ−Ｂｕｔａｄｉｅｎｅ−Ｓｔｙｒｅｎｅ)樹脂、ポリエチレン、ポリプロピレン等である。
【００１８】
容器本体１１は、内部に、挿通部２０と、収容部２１と、フィルタ部２２と、液溜め部２３とを有する。これら挿通部２０、収容部２１、フィルタ部２２、液溜め部２３は、容器本体１１の高さ方向ＨＤに、この順に連なって設けられている。挿通部２０の端部には、キャップ１５と圧入嵌合して、容器本体１１からの液漏れを防止する円筒形状の栓部２５が形成されている。また、挿通部２０内には、捕捉部１７を含む棒本体１６が挿通される挿通穴２６が形成されている。
【００１９】
挿通部２０と収容部２１とを隔てる第１隔壁２７には、擦り切り部２８が設けられている。擦り切り部２８は円錐形状をした筒状体である。擦り切り部２８は、挿通穴２６から収容部２１に向かって、徐々に捕捉部１７の外径と同程度まで内径が狭まっている。
【００２０】
収容部２１には、保存溶液３０が収容される。保存溶液３０は水を主成分とする。採便棒１０が容器本体１１に取り付けられた図１に示す状態において、捕捉部１７の全体が収容部２１に進入し、捕捉部１７の先端は、容器本体１１の高さ方向ＨＤの略中央部分まで到達する。そして、収容部２１は、７割〜８割程度が保存溶液３０で満たされる。このため、図１とは上下を逆にした状態においては、捕捉部１７の全体が保存溶液３０に浸かる（図６参照）。保存溶液３０には、捕捉部１７で捕捉された便Ｓが懸濁される。以下、便Ｓが懸濁された保存溶液３０を、懸濁液３０Ｓ（図６参照）と表現する。
【００２１】
フィルタ部２２は、連通路３１とフィルタ３２とを有する。連通路３１は、収容部２１と液溜め部２３とを隔てる第２隔壁３３に形成された連通口３４を有する、収容部２１と液溜め部２３とを繋ぐ通路である。フィルタ３２は、懸濁液３０Ｓ中の、便潜血検査の妨げとなる不純物をろ過する。フィルタ３２は、凸円柱状の外形状を有している。フィルタ３２は、連通口３４側から挿入されて、圧入嵌合等により連通路３１に収容される。このため、連通路３１は、フィルタ３２の外形状に倣って、内径が二段階に変化する階段形状となっている。
【００２２】
連通口３４はシール３５により塞がれている。シール３５は、例えば熱溶着により貼り付けられる。シール３５は、金属あるいは樹脂の薄膜からなる。シール３５は、懸濁液３０Ｓを便潜血検査のために採液する場合に破断される（図６Ａ参照）。なお、シール３５は省略してもよい。
【００２３】
液溜め部２３は、フィルタ３２により不純物がろ過された懸濁液３０Ｓを溜める。
【００２４】
容器本体１１は開口３６を有している。開口３６はシール３７により塞がれている。シール３７は、シール３５と同じく、例えば熱溶着により貼り付けられ、金属あるいは樹脂の薄膜からなる。シール３７は、シール３５と同じく、懸濁液３０Ｓを便潜血検査のために採液する場合に破断される（図６Ａ参照）。開口３６は、懸濁液３０Ｓを採液するノズル６０（図６Ｃ参照）を液溜め部２３に導入するために設けられている。すなわち、開口３６は、本開示の技術に係る「第１開口」の一例である。
【００２５】
採便容器２の組み立て手順は、まず、フィルタ３２を連通路３１に収容して、シール３５で連通口３４を塞ぎ、さらにシール３７で開口３６を塞ぐ。そして、挿通穴２６を介して、保存溶液３０を収容部２１に流し込む。最後に、採便棒１０を容器本体１１に取り付けて組み立て終わる。
【００２６】
図３Ａおよび図３Ｂに示すように、液溜め部２３は、容器本体の外壁４５によって取り囲まれた空間内に設けられている。液溜め部２３は、連通口３４を取り囲む内壁４６で形成されている。内壁４６は、連通口３４を中心とした四角筒状をしている。内壁４６は、高さ方向ＨＤから平面視した場合、容器本体の外壁４５を１／２程度に縮小した形状をしている。このため、内壁４６は、外壁４５よりも周囲長が短く、外壁４５の全周にわたって間隔を空けられている。この間隔によって、内壁４６と外壁４５との間には、空間４７が生じる。また、内壁４６は、外壁４５よりも高さが低い。
【００２７】
液溜め部２３は開口４８を有する。開口４８は、ノズル６０を液溜め部２３に受け入れるために設けられている。すなわち、開口４８は、本開示の技術に係る「第２開口」の一例である。なお、図３では、保存溶液３０の図示を省略している。以降の図９等も同様である。また、図３Ｂは、シール３７を剥がした状態を示している。
【００２８】
次に、上記構成の採便容器２による採便から便潜血検査までに至る手順を、図４〜図６を参照して説明する。まず、被検者は、便器に便Ｓを排泄する。そして、容器本体１１から採便棒１０を取り外し、図４に示すように、採便棒１０の捕捉部１７を便Ｓに接触させて、捕捉部１７で便Ｓの表面をなぞる。捕捉部１７は複数の溝を有するので、便潜血検査に必要十分な量の便Ｓを容易に捕捉することができる。
【００２９】
続いて、被検者は、図５に示すように、捕捉部１７に便Ｓが捕捉された採便棒１０を容器本体１１に戻し、図１に示す状態とする。この際、捕捉部１７は、挿通穴２６を挿通されて擦り切り部２８を通過し、収容部２１に至る。捕捉部１７が擦り切り部２８を通過することで、捕捉部１７に捕捉された便Ｓのうちの余分な便Ｓが除去される。
【００３０】
採便後の採便容器２は、便潜血検査を実施する検査施設に輸送される。この輸送中に収容部２１内の保存溶液３０が攪拌される。そして、捕捉部１７に捕捉された便Ｓが保存溶液３０中に拡散され、便潜血検査に好適な懸濁液３０Ｓが生成される。
【００３１】
図６に示すように、検査施設において、採便容器２は、図１とは上下を逆にした状態で、図示しない検査装置にセットされる。そして、図６Ａに示すように、検査装置内で、穿刺針５５によりシール３７およびシール３５が破断される。次いで、図６Ｂに矢印ＣＭＰで示すように、面積が大きいほうの側面から収容部２１が圧縮される。こうして収容部２１が圧縮されることによって、収容部２１内の懸濁液３０Ｓがフィルタ３２を通過し、液溜め部２３に溢れ出る。この過程で懸濁液３０Ｓがフィルタ３２でろ過される。
【００３２】
液溜め部２３の懸濁液３０Ｓの液面高さが予め設定された高さとなった場合、検査装置内において、図６Ｃに示すように、本開示の技術に係る「採液具」の一例であるノズル６０が、高さ方向ＨＤに沿って、開口３６および開口４８を介して液溜め部２３に導入される。そして、ノズル６０により、液溜め部２３内の懸濁液３０Ｓが便潜血検査のために採液される。なお、予め設定された高さは、例えば３ｍｍである。
【００３３】
図３で示したように、液溜め部２３は、外壁４５によって取り囲まれた空間内に設けられている。また、液溜め部２３は、フィルタ部２２との連通口３４を取り囲み、かつ、外壁４５の全周にわたって間隔を空けられた内壁４６で形成されている。このため、内壁４６がなく、外壁４５によって取り囲まれた空間で液溜め部２３が形成されている図７Ｂの場合と比べて、液溜め部２３の容積を小さくすることができる。これにより、図７Ａの矢印の下段に示すように、同じ条件で収容部２１を圧縮した場合、懸濁液３０Ｓを、図７Ｂの場合よりも短時間で採液に必要な液面高さとすることができる。具体的には、外壁４５によって取り囲まれた空間で液溜め部２３が形成されている図７Ｂの場合の半分程度の時間で、採液に必要な液面高さとすることができる。したがって、便潜血検査の効率を上げることができる。
【００３４】
なお、図７Ａおよび図７Ｂの矢印の上段は、収容部２１が圧縮される前で液溜め部２３に懸濁液３０Ｓが溜まる前を示す。図７Ａの矢印の下段は、収容部２１が圧縮されて液溜め部２３の懸濁液３０Ｓが採液に必要な液面高さとなった状態を示す。図７Ｂの矢印の下段は、図７Ａの矢印の下段と同じ量の懸濁液３０Ｓが液溜め部２３に溜まっているが、採液に必要な液面高さとなっていない状態を示す。
【００３５】
また、内壁４６が外壁４５の全周にわたって間隔を空けられていることで、内壁４６と外壁４５との間には空間４７が生じている。このため、万が一液溜め部２３から懸濁液３０Ｓが溢れ出たとしても、図８に示すように懸濁液３０Ｓは空間４７に溜まって採便容器２外に漏出することはない。したがって、周囲環境の汚染を防止することもできる。
【００３６】
内壁４６は、外壁４５の全周にわたって間隔を空けられている。したがって、より液溜め部２３の容積を小さくすることができ、便潜血検査の効率をさらに上げることができる。
【００３７】
内壁４６は、外壁４５よりも高さが低い。したがって、液溜め部２３から溢れ出た懸濁液３０Ｓが空間４７に導かれる可能性が高まり、周囲環境の汚染をより確実に防止することができる。
【００３８】
図９は、高さ方向ＨＤから平面視した場合に、外壁４５の全周のうちの一部との間に間隔を空けられた内壁で形成された液溜め部の例を示す。図９Ａの液溜め部６５は、容器本体１１の面積の大きいほうの対向する２つの側面を繋ぐよう、容器本体１１の奥行方向に沿って延びる一対の内壁６６で形成されている。図９Ｂの液溜め部７０は、容器本体１１の面積の小さいほうの対向する２つの側面を繋ぐよう、容器本体１１の幅方向に沿って延びる一対の内壁７１で形成されている。また、図９Ｃの液溜め部７５は、容器本体１１の面積の大きいほうの対向する２つの側面のうちの一方から容器本体１１の奥行方向に沿って延び、容器本体１１の面積の大きいほうの対向する２つの側面のうちの他方の手前で直角に折れ曲がった内壁７６で形成されている。内壁７６は、高さ方向ＨＤから平面視した場合の形状が略Ｕ字状である。このように、液溜め部の内壁は、外壁４５の全周にわたって間隔を空けられている必要はなく、外壁４５の全周のうちの少なくとも一部との間に間隔を空けられていればよい。なお、図９は、図３Ｂと同じく、シール３７を剥がした状態を示している。
【００３９】
図１０に示す液溜め部８０は、外壁４５と同じ高さの内壁８１で形成されている。この場合、液溜め部８０の開口８２は、容器本体１１の開口３６と同じ面にある。このように、液溜め部の内壁は、外壁４５よりも高さが低くなくてもよい。ただし、図９で示した液溜め部６５、７０、７５の場合は、内壁６６、７１、７６は、外壁４５よりも高さが低い必要がある。
【００４０】
なお、「高さ方向ＨＤから平面視した場合」は、「ノズル６０の挿脱方向から平面視した場合」、「フィルタ部２２側から平面視した場合」等と言い換えてもよい。
【００４１】
［第２実施形態］
図１１〜図１４に示す第２実施形態では、ノズル６０が挿脱される十字穴８６が形成されたシール８５で、開口３６および開口４８のうちの少なくともいずれかを塞ぐ。なお、以下では、第１実施形態と同じ構成については、同じ符号を付して説明を省略する。
【００４２】
図１１において、液溜め部２３の開口４８は、シール８５で塞がれている。シール８５は、例えばシリコーンゴム製である。シール８５の中心部には、十字穴８６が形成されている。
【００４３】
図１２に示すように、十字穴８６にはノズル６０が挿脱される。図１２Ａは、ノズル６０が挿入されておらず、十字穴８６が閉塞されている状態、図１２Ｂは、ノズル６０が挿入され、十字穴８６がノズル６０で押し広げられた状態をそれぞれ示す。シール８５はシリコーンゴム製であるため、十字穴８６は、図１２Ａに示す閉塞状態と、図１２Ｂに示す拡開状態とに可逆的に変形する。
【００４４】
このように、開口４８がシール８５で塞がれており、ノズル６０が挿入されていない場合は十字穴８６が閉塞されている。したがって、液溜め部２３から懸濁液３０Ｓが溢れ出ることをより確実に防止することができる。また、液溜め部２３に溜まった懸濁液３０Ｓの臭いが漏れることも防止することができる。
【００４５】
懸濁液３０Ｓを採液した後のノズル６０が引き上げられて十字穴８６を通過することで、ノズル６０に付着した懸濁液３０Ｓが十字穴８６で拭い取られる。したがって、懸濁液３０Ｓの臭い漏れをより効果的に防止することができる。また、ノズル６０に付着した懸濁液３０Ｓが落ちて検査装置内が汚染されることを防止することができる。さらに、ノズル６０の洗浄が容易になる。
【００４６】
図１３は、容器本体１１の開口３６を、シール３７で塞いだうえで、さらにシール８５で塞いだ例である。図１４は、シール３７を除いて、容器本体１１の開口３６をシール８５のみで塞いだ例である。また、これらの場合も図１１の場合と同じく、懸濁液３０Ｓの臭い漏れ、および懸濁液３０Ｓによる検査装置内の汚染を防止することができる。また、ノズル６０の洗浄が容易になる。図１４の場合は、シール３７の分の生産コストを削減することができる。なお、図１３Ｂは、図３Ｂ等と同じく、シール３７を剥がした状態を示している。
【００４７】
［第３実施形態］
図１５に示す第３実施形態では、フィルタ部２２とは反対側に向かって幅広な液溜め部９０とする。
【００４８】
図１５において、液溜め部９０は、フィルタ部２２とは反対側に向かって幅広な内壁９１で形成されている。このため、液溜め部９０の開口９２は、液溜め部２３の開口４８よりも径が大きい。
【００４９】
このように、液溜め部９０は、フィルタ部２２とは反対側に向かって幅広となっているので、液溜め部２３よりも容積が大きくなる。したがって、液溜め部２３よりも、懸濁液３０Ｓが溢れ出るおそれを低減することができる。また、液溜め部９０は、液溜め部２３よりも、穿刺針５５およびノズル６０の挿入が容易になる。
【００５０】
なお、内壁９１の傾斜角度が大きすぎると、懸濁液３０Ｓを採液に必要な液面高さとする時間がそれだけ長時間化する。反対に内壁９１の傾斜角度が小さすぎると、穿刺針５５およびノズル６０の挿入が容易になるという効果が薄い。このため、内壁９１の傾斜角度は、懸濁液３０Ｓを採液に必要な液面高さとする時間と、穿刺針５５およびノズル６０の挿入の容易性との兼ね合いで適切な角度とすればよい。
【００５１】
［第４実施形態］
図１６に示す第４実施形態では、液溜め部２３に親水処理を施す。
【００５２】
図１６において、液溜め部２３には、ハッチングおよび符号９５で示すように、懸濁液３０Ｓと最初に接する連通口３４と連なる面に親水処理が施されている。親水処理は、例えば粗面化処理、プラズマ照射処理、紫外線照射処理、フッ素ガス処理等である。なお、図１６は、図３Ｂ等と同じく、シール３７を剥がした状態を示している。
【００５３】
このように、液溜め部２３に親水処理が施されているので、フィルタ３２を通過した懸濁液３０Ｓが液溜め部２３内に素早く濡れ広がり、懸濁液３０Ｓの液面高さが短時間で安定化する。したがって、便潜血検査の効率をさらに上げることができる。なお、連通口３４と連なる面だけでなく、内壁４６の内面にも親水処理を施してもよい。
【００５４】
図１７に示す採便容器１００のように、棒本体１６および捕捉部１７を、キャップ１５の中心から片側に偏心させて設けた採便棒１０１を用いてもよい。こうすることで、符号ＯＬで示すように、捕捉部１７をフィルタ部２２に対してオーバーラップさせた状態で、採便棒１０１を容器本体１０２に収容することができる。このため、容器本体１０２、特に収容部１０３の高さを、容器本体１１の収容部２１よりも低くすることができ、結果として採便容器１００を採便容器２よりも小型化することができる。採便容器１００を小型化することができれば、一度により多くの採便容器１００を検査装置にセットすることができ、検査効率を向上させることができる。また、収容部１０３の容積が小さくなることで、保存溶液３０の量を少なくすることができ、コストダウンが可能となる。なお、棒本体１６および捕捉部１７の代わりに、フィルタ部２２および液溜め部２３を片側に偏心させて設けてもよい。
【００５５】
液溜め部を形成する内壁を、四角筒状ではなく円筒状としてもよい。
【００５６】
収容部２１、フィルタ部２２、液溜め部２３は、容器本体１１の高さ方向ＨＤに、この順に連なって設けられていなくともよい。収容部２１、フィルタ部２２、液溜め部２３が、容器本体１１の幅方向に、この順に連なっていてもよい。
【００５７】
本開示の技術は、上述の種々の実施形態と種々の変形例を適宜組み合わせることも可能である。例えば、上記第３実施形態の液溜め部９０の内面に、上記第４実施形態で説明した親水処理を施してもよい。また、上記各実施形態に限らず、要旨を逸脱しない限り種々の構成を採用し得ることはもちろんである。
【００５８】
以上に示した記載内容および図示内容は、本開示の技術に係る部分についての詳細な説明であり、本開示の技術の一例に過ぎない。例えば、上記の構成、機能、作用、および効果に関する説明は、本開示の技術に係る部分の構成、機能、作用、および効果の一例に関する説明である。よって、本開示の技術の主旨を逸脱しない範囲内において、以上に示した記載内容および図示内容に対して、不要な部分を削除したり、新たな要素を追加したり、置き換えたりしてもよいことはいうまでもない。また、錯綜を回避し、本開示の技術に係る部分の理解を容易にするために、以上に示した記載内容および図示内容では、本開示の技術の実施を可能にする上で特に説明を要しない技術常識等に関する説明は省略されている。
【００５９】
本明細書に記載された全ての文献、特許出願および技術規格は、個々の文献、特許出願および技術規格が参照により取り込まれることが具体的かつ個々に記された場合と同程度に、本明細書中に参照により取り込まれる。
【符号の説明】
【００６０】
２、１００  採便容器
１０、１０１  採便棒
１１、１０２  容器本体
１５  キャップ
１６  棒本体
１７  捕捉部
２０  挿通部
２１、１０３  収容部
２２  フィルタ部
２３、６５、７０、７５、８０、９０  液溜め部
２５  栓部
２６  挿通穴
２７  第１隔壁
２８  擦り切り部
３０  保存溶液
３０Ｓ  懸濁液
３１  連通路
３２  フィルタ
３３  第２隔壁
３４  連通口
３５、３７、８５  シール
３６  開口（第１開口）
４５  外壁
４６、６６、７１、７６、８１、９１  内壁
４７  空間
４８、８２、９２  開口（第２開口）
５５  穿刺針
６０  ノズル（採液具）
８６  十字穴
９５  親水処理が施された液溜め部の内面
ＨＤ  高さ方向
ＣＭＰ  収容部の圧縮方向
ＯＬ  捕捉部とフィルタ部のオーバーラップ部分
Ｓ  便
【図１】
2020193898.tif 000003
【図２】
2020193898.tif 000004
【図３】
2020193898.tif 000005
【図４】
2020193898.tif 000006
【図５】
2020193898.tif 000007
【図６】
2020193898.tif 000008
【図７】
2020193898.tif 000009
【図８】
2020193898.tif 000010
【図９】
2020193898.tif 000011
【図１０】
2020193898.tif 000012
【図１１】
2020193898.tif 000013
【図１２】
2020193898.tif 000014
【図１３】
2020193898.tif 000015
【図１４】
2020193898.tif 000016
【図１５】
2020193898.tif 000017
【図１６】
2020193898.tif 000018
【図１７】
2020193898.tif 000019